【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
異なるネットワークにわたるソフトハンドオフのための方法であって、
第１のユーザエージェントと第２のユーザエージェントとの間で第１のネットワークを介して第１の通信リンクを使用して通信することと；
同一の呼のために第２の通信リンクを使用することをネゴシエーションすることと；
前記第１の通信リンクを維持しながら、前記第１のユーザエージェントと前記第２のユーザエージェントとの間に第２のネットワークを介して前記第２の通信リンクを確立することと；
関連データが前記第１のユーザエージェントと前記第２のユーザエージェントとの間の前記同一の呼のためのものであるように、前記関連データを前記第１の通信リンクと前記第２の通信リンクを介して同時に送信することと；
前記第１の通信リンクをドロップすることと；
前記第２の通信リンクを使用して通信を継続することと； 
を備える方法。
【請求項２】
前記第１のユーザエージェントはアプリケーションを備え、前記アプリケーションは前記第２の通信リンクの前記確立、及び前記関連データの前記送信を実行する、請求項１に記載の方法。
【請求項３】
前記第１の通信リンクと前記第２の通信リンクを介して送信される前記関連データは同一のデータフォーマットを有する、請求項１に記載の方法。
【請求項４】
前記第１の通信リンクと前記第２の通信リンクを介して送信される前記関連データは互いに異なるデータフォーマットを有する、請求項１に記載の方法。
【請求項５】
前記関連データは音声データである、請求項１に記載の方法。
【請求項６】
前記関連データはマルチメディアデータである、請求項１に記載の方法。
【請求項７】
前記データは前記同一の呼のためのシグナリング情報を含む、請求項１に記載の方法。
【請求項８】
前記第２のユーザエージェントは前記関連データを前記第１の通信リンク及び前記第２の通信リンクから受信しており、前記第２のユーザエージェントは前記通信リンクの１つのみからの前記関連データを使用する、請求項１に記載の方法。
【請求項９】
前記第１のネットワーク及び前記第２のネットワークはそれぞれ、ＣＤＭＡネットワーク、ローカルエリアネットワーク（ＬＡＮ）、無線ＬＡＮ、グローバルコンピュータネットワーク、汎用パケット無線サービス（ＧＰＲＳ）ネットワーク、移動通信用グローバルシステム（ＧＳＭ）ネットワーク、ユニバーサル移動通信システム（ＵＭＴＳ）ネットワーク、及び公衆交換電話網（ＰＳＴＮ）からなる群から選択されるネットワークである、請求項１に記載の方法。
【請求項１０】
前記第２の通信リンクが確立される前に、前記第２のネットワークを発見することを更に備える、請求項１に記載の方法。
【請求項１１】
ネットワーク嗜好基準の使用を通じて、前記第２の通信リンクが確立される前に、前記第２のネットワークが使用されるべきかどうかを決定することを更に備える、請求項１０に記載の方法。
【請求項１２】
前記第２のユーザエージェントは、レガシーユーザエージェントを備え、ネットワークアプリケーションゲートウェイは前記第１のネットワークから前記第２のネットワークへの前記ハンドオフを容易にする、請求項１に記載の方法。
【請求項１３】
前記第２の通信リンクの前記確立の前に前記ネゴシエーションが実行される、請求項１に記載の方法。
【請求項１４】
前記第２の通信リンクの前記確立の間に前記ネゴシエーションが実行される、請求項１に記載の方法。
【請求項１５】
前記第２の通信リンクの前記確立の後に前記ネゴシエーションが実行される、請求項１に記載の方法。
【請求項１６】
異なるネットワークにわたるソフトハンドオフのための方法であって、
第１のユーザエージェントと第２のユーザエージェントとの間で第１のネットワークを介して第１の通信リンクを使用して通信することと；
同一の呼にために第２の通信リンクを使用することをネゴシエーションすることと；
前記第１の通信リンクを維持しながら、第３のユーザエージェントと前記第２のユーザエージェントとの間に第２のネットワークを介して前記第２の通信リンクを確立することと；
関連データが前記第１のユーザエージェントと前記第２のユーザエージェントとの間の前記同一の呼のためのものであるように、前記関連データを前記第１の通信リンクと前記第２の通信リンクを介して同時に送信することと；
前記第１の通信リンクをドロップすることと；
前記第２の通信リンクを使用して前記第３のユーザエージェントと前記第２のユーザエージェントとの間で通信を継続することと；
を備える方法。
【請求項１７】
異なるネットワークにわたるソフトハンドオフのためのユーザエージェントであって、前記ユーザエージェントは、
プロセッサと；
前記プロセッサと電子通信中のメモリと；
前記メモリに記憶されたアプリケーションと；
を備え、
前記アプリケーションは、
第１のネットワークを介して第１の通信リンクを使用して第２のユーザエージェントと通信することと；
第２の通信リンクを使用することをネゴシエーションすることと；
前記第１の通信リンクを維持しながら、前記第２のユーザエージェントと第２のネットワークを介して前記第２の通信リンクを確立することと；
関連データが前記第１のユーザエージェントと前記第２のユーザエージェントとの間の同一の呼のためのものであるように、前記関連データを前記第１の通信リンクと前記第２の通信リンクを介して同時に送信することと；
前記第１の通信リンクをドロップすることと；
前記第２の通信リンクを使用して通信を継続することと；
を備える方法を実行するように構成されている、
ユーザエージェント。
【請求項１８】
前記関連データは同一のデータフォーマットを有する、請求項１７に記載のユーザエージェント。
【請求項１９】
前記関連データは互いに異なるデータフォーマットを有する、請求項１７に記載のユーザエージェント。
【請求項２０】
前記データは音声データである、請求項１７に記載のユーザエージェント。
【請求項２１】
前記データはマルチメディアデータである、請求項１７に記載のユーザエージェント。
【請求項２２】
前記関連データは前記同一の呼のためのシグナリング情報を含む、請求項１７に記載のユーザエージェント。
【請求項２３】
前記第１のネットワーク及び前記第２のネットワークはそれぞれ、ＣＤＭＡネットワーク、ローカルエリアネットワーク（ＬＡＮ）、無線ＬＡＮ、グローバルコンピュータネットワーク、汎用パケット無線サービス（ＧＰＲＳ）ネットワーク、移動通信用グローバルシステム（ＧＳＭ）ネットワーク、ユニバーサル移動通信システム（ＵＭＴＳ）ネットワーク、及び公衆交換電話網（ＰＳＴＮ）からなるグループから選択されるネットワークである、請求項１７に記載のユーザエージェント。
【請求項２４】
前記アプリケーションにより実行される前記方法は、前記第２の通信リンクが確立される前に前記第２のネットワークを発見することを更に備える、請求項１７に記載のユーザエージェント。
【請求項２５】
前記アプリケーションにより実行される前記方法は、ネットワーク嗜好基準の使用を通じて、前記第２の通信リンクが確立される前に前記第２のネットワークが使用されるべきかどうかを決定することを更に備える、請求項２４に記載のユーザエージェント。
【請求項２６】
前記第２のユーザエージェントはレガシーユーザエージェントを備え、前記アプリケーションにより実行される前記方法は、前記第１のネットワークから前記第２のネットワークへの前記ハンドオフを容易にするネットワークアプリケーションゲートウェイと通信することを更に備える、請求項１７に記載のユーザエージェント。
【請求項２７】
前記アプリケーションにより実行される前記方法は、前記第２の通信リンクの前記確立の前に前記ネゴシエーションを実行する、請求項１７に記載のユーザエージェント。
【請求項２８】
前記アプリケーションにより実行される前記方法は、前記第２の通信リンクの前記確立の間に前記ネゴシエーションを実行する、請求項１７に記載のユーザエージェント。
【請求項２９】
前記アプリケーションにより実行される前記方法は、前記第２の通信リンクの前記確立の後に前記ネゴシエーションを実行する、請求項１７に記載のユーザエージェント。
【請求項３０】
異なるネットワークにわたるソフトハンドオフのためのネットワークアプリケーションゲートウェイであって、前記ネットワークアプリケーションゲートウェイは、
プロセッサと；
前記プロセッサと電子通信中のメモリと；
前記メモリに記憶されたアプリケーションと；
を備え、
前記アプリケーションは、
第１のネットワークを介して第１の通信リンクを使用して第１のユーザエージェントとレガシーユーザエージェントとの間の通信を可能にすることと；
第２の通信リンクを使用することをネゴシエーションすることと；
前記第１の通信リンクを維持しながら、前記第１のユーザエージェントと第２のネットワークを介して前記第２の通信リンクを確立することと；
一の通信リンクを前記レガシーユーザエージェントと維持しながら、関連データが前記第１のユーザエージェントと前記第２のユーザエージェントとの間の同一の呼のためのものであるように、前記関連データを前記第１の通信リンクと前記第２の通信リンクを介して同時に送信することと；
前記第１の通信リンクをドロップすることと；
前記第２の通信リンクを使用して通信を継続することと；
を備える方法を実行するように構成されている、
ネットワークアプリケーションゲートウェイ。
【請求項３１】
プログラムデータを記憶するためのコンピュータ読み取り可能な記憶媒体であって、前記プログラムデータは、通信装置において方法を実行するための実行可能な命令を備え、
前記方法は、
第１のユーザエージェントと第２のユーザエージェントとの間で第１のネットワークを介して第１の通信リンクを使用して通信することと；
前記第１のユーザエージェントと前記第２のユーザエージェントとの間で同一の呼のために第２の通信リンクを使用することをネゴシエーションすることと；
前記第１の通信リンクを維持しながら、前記第１のユーザエージェントと前記第２のユーザエージェントとの間に第２のネットワークを介して前記第２の通信リンクを確立することと；
関連データが前記第１のユーザエージェントと前記第２のユーザエージェントとの間の前記同一の呼のためのものであるように、前記関連データを前記第１の通信リンクと前記第２の通信リンクを介して同時に送信することと；
前記第１の通信リンクをドロップすることと；
前記第２の通信リンクを使用して通信を継続することと；
を備える、
コンピュータ読み取り可能な記憶媒体。
【請求項３２】
前記関連データは同一のデータフォーマットを有する、請求項３１に記載のコンピュータ読み取り可能な記憶媒体。
【請求項３３】
前記関連データは互いに異なるデータフォーマットを有する、請求項３１に記載のコンピュータ読み取り可能な記憶媒体。
【請求項３４】
前記関連データは音声データである、請求項３１に記載のコンピュータ読み取り可能な記憶媒体。
【請求項３５】
前記関連データはマルチメディアデータである、請求項３１に記載のコンピュータ読み取り可能な記憶媒体。
【請求項３６】
前記関連データは前記同一の呼のためのシグナリング情報を含む、請求項３１に記載のコンピュータ読み取り可能な記憶媒体。
【請求項３７】
前記第２のユーザエージェントは前記データを前記第１の通信リンク及び前記第２の通信リンクから受信しており、前記第２のユーザエージェントは前記通信リンクの１つのみからの前記データを使用する、請求項３１に記載のコンピュータ読み取り可能な記憶媒体。
【請求項３８】
前記第１のネットワーク及び前記第２のネットワークはそれぞれ、ＣＤＭＡネットワーク、ローカルエリアネットワーク（ＬＡＮ）、無線ＬＡＮ、グローバルコンピュータネットワーク、汎用パケット無線サービス（ＧＰＲＳ）ネットワーク、移動通信用グローバルシステム（ＧＳＭ）ネットワーク、ユニバーサル移動通信システム（ＵＭＴＳ）ネットワーク、及び公衆交換電話網（ＰＳＴＮ）から成るグループから選択されるネットワークである、請求項３１に記載のコンピュータ読み取り可能な記憶媒体。
【請求項３９】
前記第２の通信リンクが確立される前に前記第２のネットワークを発見することを更に備える、請求項３１に記載のコンピュータ読み取り可能な記憶媒体。
【請求項４０】
ネットワーク嗜好基準の使用を通じて、前記第２の通信リンクが確立される前に、前記第２のネットワークが使用されるべきかどうかを決定することを更に備える、請求項３９に記載のコンピュータ読み取り可能な記憶媒体。
【請求項４１】
前記第２のユーザエージェントは、レガシーユーザエージェントを備え、ネットワークアプリケーションゲートウェイは前記第１のネットワークから前記第２のネットワークへの前記ハンドオフを容易にする、請求項３１に記載のコンピュータ読み取り可能な媒体。  
【請求項４２】
前記第２の通信リンクの前記確立の前に前記ネゴシエーションが実行される、請求項３１に記載のコンピュータ読み取り可能な記憶媒体。
【請求項４３】
前記第２の通信リンクの前記確立の間に前記ネゴシエーションが実行される、請求項３１に記載のコンピュータ読み取り可能な記憶媒体。
【請求項４４】
前記第２の通信リンクの前記確立の後に前記ネゴシエーションが実行される、請求項３１に記載のコンピュータ読み取り可能な記憶媒体。
【請求項４５】
プログラムデータを記憶するためのコンピュータ読み取り可能な媒体であって、前記プログラムデータは、通信装置において方法を実行するための実行可能な命令を備え、前記方法は、
第１のユーザエージェントと第２のユーザエージェントとの間で第１のネットワークを介して第１の通信リンクを使用して通信することと；
同一の呼のために第２の通信リンクを使用することをネゴシエーションすることと；
前記第１の通信リンクを維持しながら、第３のユーザエージェントと前記第２のユーザエージェントとの間に第２のネットワークを介して前記第２の通信リンクを確立することと；
関連データが前記第１のユーザエージェントと前記第２のユーザエージェントとの間の前記同一の呼のためのものであるように、前記関連データを前記第１の通信リンクと前記第２の通信リンクを介して同時に送信することと；
前記第１の通信リンクをドロップすることと；
前記第３のユーザエージェントと前記第２のユーザエージェントとの間で前記第２の通信リンクを使用して通信を継続することと；
を備える、
コンピュータ読み取り可能な媒体
【請求項４６】
前記関連データは同一のデータである、請求項１に記載の方法。